(57)【要約】【課題】従来のサイコロは同じ面の数しか数字及び文章を表現出来なく、又異なる数字を一度に複数表現出来なかった。【解決の手段】上面に上面透明板、下面に下面透明板を設け横方向に仕切板により大部屋、小部屋に分け，それぞれに移動体出入口を設け、下面透明板に縦列、横列に規則正しく小孔を設け、これに対比した位置に横線，縦線及び数字及び文章を記入したカードをカード差込部に差込，更に目的に合せて移動体を単数又は複数を大部屋に投入する事による平面で表現するサイコロ。【選択図】図１
2014151183.tif 000002
【特許請求の範囲】
【請求項１】
上面に上面透明板（２）下面に下面透明板（３）を設け横方向に仕切板（６）により大部屋（７）小部屋（８）に分け，移動体出入口（９）をそれぞれに設け更に下面透明板（３）の縦列、横列に規則正しく小孔（１５）を設け、これに対比した位置に横線（１７）縦線（１８）及び数字及び文章（１９）を記入したカード（５）を透明ケース本体（１）の裏側に隙間を持ったカード差込部（１４）に差込，更に目的に合せて移動体（４）を単数又は複数を大部屋（７）に投入する事による平面で表現するサイコロ。
【請求項２】
請求項１の構成の下面透明板（３）に小孔（１５）を設けずに移動体（４）の表面に単数又は複数の水平部（２６）を設けた移動体（４）を使用する事による平面で表現するサイコロ。
【請求項３】
請求項１、２の構成の透明ケース本体（１）の内部又は外部に表示部（１１）、キーボタン（１２）を持った計算機本体（１３）を取り付ける事による平面で表現するサイコロ。
【請求項４】
請求項１の構成による下面透明板（３）の小孔（１５）に感知部（２０）を設けるか又は上部にカメラ（２５）を取り付け移動体（４）の位置を確認して電源切替部（２１）、演算装置（２３）により合計を計算して数字表示部（２４）に自動で表現する平面で表現するサイコロ。
【発明の詳細な説明】
【技術分野】
【０００１】本発明のサイコロは従来のサイコロに比べ何倍の種類の数字及び文章の表現が出来るサイコロであり、更に一度に単数及び複数の表現出来る。
【背景技術】
【０００２】従来のサイコロは同じ面の数しか数字及び文章を表現出来なく又異なる数字を一度に複数の表現出来なかった。
【発明の概要】
【発明が解決しようとする課題】
【０００３】従来の正多面体のサイコロは次の欠点があった。
（１）従来のサイコロは同じ面の数しか数字及び文章を表現出来なく又異なる数字及び文章を一度に複数の表現出来なかった。
（２）例えば日本国営で行っているロトシックスでは１〜４３の数字から異なる数字を６個選択し、ミニロトでは１〜３１の数字を５個選択し、ナンバーズでは０〜９の数字から異なる数字を４個選択する。
従来のサイコロではこのような事は出来なかった。
（３）若い世代にはサイコロによって暗算力を高め又高齢者には遊びながら脳の活力をたかめ、ボケ防止になるサイコロが求められている。
【課題を解決する手段】
【０００４】（イ）上記の問題点を解決する為、透明ケース本体（１）の上面に上面透明板（２）を、下面に下面透明板（３）を設け、更に横方向に仕切板（６）により大部屋（７）小部屋（８）に分ける。
（ロ）仕切板（６）端上部の上面透明板（２）に移動体出入口（９）を大部屋（７）小部屋（８）の両部屋にまたがって設け、更に上側にヒンジ付きカバー（１０）を取り付ける。
（ハ）下面透明板（３）の縦列、横列に規則正しく小孔（１５）を設け、これに対比した位置に横線（１７）縦線（１８）及び数字及び文章（１９）をカード（５）に設ける。
（ニ）透明ケース本体（１）の裏側には隙間を持ったカード差込部（１４）を複数の設け、下面透明板（３）間にカード（５）を差し込む。
（ホ）図３に示す方法は移動体（４）の表面に水平部（２６）を単数又は複数設けた移動体（４）を使用する方法であり、この場合下面透明板（３）に小孔（１５）を設けなくても良い場合でどの位置で移動体（４）止まるか予想が出来ない楽しさを味える。
この場合複数の数字及び文章（１９）上で止まる場合が予想されるがこの場合規則として大きい数字を採用すれば問題ない。
（ヘ）表示部（１１）、キーボタン（１２）を持った計算機本体（１３）を透明ケース本体（１）に取り付けるこれは暗算で複数の数字及び文章（１９）を加減乗割を行った時に答えが正しいか確認する為の手動式の計算機でありこれにより暗算力、計算力を高める効果がある。
（ト）図１２に示す方法は下面透明板（３）の小孔（１５）に感知部（２０）を設け、数字表示部（２４）間に電源切替部（２１）、演算装置（２３）を接続線（２７）で接続する方法によれば確認を必要とする時は電源を入れば自動的に合計の計算結果を表示出来る。
（チ）図１３に示す方法は上側にカメラ（２５）を取り付け移動体（４）の位置を確認して計算結果を表示出来る。
【発明の効果】
【０００５】その結果、次の効果が生じる．
（イ）ロトシックスの番号を選択したい時は１〜４３の数字及び文章（１９）が表現してあるカード（５）をカード差込部（１４）に差込，一度に６個決定したい時は移動体（４）を６個大部屋（７）に投入すれば良く又ミニロトの場合は１〜３１の数字及び文章（１９）が表現してあるカード（５）をカード差込部（１４）に差込、一度に５個大部屋（７）に投入すれば良く又一度に全部決定しない場合は数を加減すれば良い。
（ロ）移動体（４）は透明ケース本体（１）の左右の揺れ及び前後の傾料により変化するので止まる位置が予想出来なく、この為楽しく飽きない効果があり、又移動体（４）の止まった位置の数字及び文章（１９）が答えになるので分かりやすい。
（ハ）暗算力を高めたい時は足し算のカード（５）を差込，移動体（４）の数を初級者は２個、中級者は３個、上級者は４個以上を大部屋（７）に入れ透明ケース本体（１）を操作して合計数字を暗算又は筆算で行い確認は計算機本体（１３）で出来る。
足し算以外加減乗除が出来る。
（ニ）手で入力するのが不便ならば図１２の小孔（１５）に感知部（２０）を取り付ける方法、又は図１３のカメラ（２５）で確認する方法によれば答えを数字表示部（２４）で自動的に表示出来る。
【図面の簡単な説明】
【０００６】
【図１】本発明の透明ケース本体の斜視図である。
【図２】本発明の下面透明板に小孔を設けた場合の裏側からの斜視図である。
【図３】本発明の下面透明板が無孔の場合の裏側からの斜視図である。
【図４】本発明の透明ケース本体の断面図である。．
【図５】ヒンジ付きカバーの拡大図である。
【図６】透明ケース本体を傾斜させた時の断面図である。
【図７】カードの斜視図である。
【図８】カードの斜視図である。
【図９】小孔を設けた下面透明板の拡大図である。
【図１０】水平部を持った移動体を使用した場合の拡大図である。
【図１１】水平部を持った移動体の拡大図である。
【図１２】小孔に感知部を取り付けた自動表示装置である．
【図１３】上部にカメラを取り付けた自動表示装置である．
【発明を実施するための形態】
【０００７】以下本発明の実施の形態を説明する。
（イ）透明ケース本体（１）の上面に上面透明板（２）を、下面に下面透明板を設け、更に横方向に仕切板（６）により大部屋（７）小部屋（８）に分ける。
（ロ）仕切板（６）端上部の上面透明板（２）に移動体出入口（９）を大部屋（７）小部屋（８）の両部屋にまたがって設け、更に上側にヒンジ付きカバー（１０）を取り付ける。
（ハ）下面透明板（３）の縦冽、横列に規則正しく小孔（１５）を設け、これに対比した位置に横線（１７）縦線（１８）及び数字及び文章（１９）をカード（５）に設ける。
（ニ）透明ケース本体（１）の裏側には隙間を持ったカード差込部（１４）を複数の設け、下面透明板（３）間にカード（５）を差し込む。
（ホ）図１１に示すように表面に水平部（２６）を設けた移動体（４）を使用する場合は図３に示すように下面透明板（３）に小孔（１５）を設けなくても良い。
（ヘ）表示部（１１）、キーボタン（１２）を持った計算機本体（１３）を透明ケース本体（１）に取り付ける。
（ト）図１２に示す方法は下面透明板（３）の小孔（１５）に感知部（２０）を設け、数字表示部（２４）間に電源切替部（２１）、演算装置（２３）を接続線（２７）で接続すると自動的に合計の計算結果を表示出来る。
（チ）図１３に示す方法は上側にカメラ（２５）を取り付け移動体（４）の位置を確認して計算結果を表示出来る。
本発明は以上の構成よりなる。
使用する時はカード（５）をカード差込部（１４）に差込，目的に合わせて単数又は複数の移動体（４）を大部屋（７）に入れ透明ケース本体（１）を左右又は前後に動かす事により移動体（４）の止まった位置の数字及び文章（１９）を読み取る。
又暗算，筆算で加減乗除を行いその結果を計算機本体（１３）で確認すれば暗算力、計算力を高め又高齢者には脳の活性化になりボケ防止に効果がある。
【符号の説明】
【０００８】１．透明ケース本体  ２．上面透明板  ３．下面透明板  ４．移動体  ５．カード
６．仕切板  ７．大部屋  ８．小部屋  ９．移動体出入口
１０．ヒンジ付きカバー  １１．表示部  １２．キーボタン  １３．計算機本体
１４．カード差込部  １５．小孔  １６，予備移動体  １７．横線  １８．縦線
１９．数字及び文章  ２０．感知部  ２１．電源切替部  ２２，演算方法切替部
２３．演算装置  ２４．数字表示部  ２５．カメラ  ２６．水平部  ２７．接続線
【図１】
2014151183.tif 000003
【図２】
2014151183.tif 000004
【図３】
2014151183.tif 000005
【図４】
2014151183.tif 000006
【図５】
2014151183.tif 000007
【図６】
2014151183.tif 000008
【図７】
2014151183.tif 000009
【図８】
2014151183.tif 000010
【図９】
2014151183.tif 000011
【図１０】
2014151183.tif 000012
【図１１】
2014151183.tif 000013
【図１２】
2014151183.tif 000014
【図１３】
2014151183.tif 000015